【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
画像を形成する画像形成手段と、
単色キャリブレーション用の用紙として登録された紙種に前記画像形成手段により１種類のトナーを用いて形成される単色画像の色を、前記単色キャリブレーション用の用紙として登録された紙種に対応する目標値に近づけるように補正するための単色補正データを生成する単色キャリブレーションの実行と、混色キャリブレーション用の用紙として登録された紙種に前記画像形成手段により複数種類のトナーを用いて形成される混色画像の色を、前記混色キャリブレーション用の用紙として登録された紙種に対応する目標値に近づけるように補正するための混色補正データを生成する混色キャリブレーションの実行と、を制御する制御手段と、
前記単色キャリブレーションと前記混色キャリブレーションとを順に実行するように指示を受けると、前記単色キャリブレーション用の用紙として登録された紙種と前記混色キャリブレーション用の用紙として登録された紙種とに共通する紙種を選択する選択手段と、
を有し、
前記選択手段により選択された紙種に属する用紙を用いて前記制御手段により前記単色キャリブレーションと前記混色キャリブレーションとを順に実行することを特徴とする画像処理装置。
【請求項２】
前記選択手段により前記単色キャリブレーションと前記混色キャリブレーションとを順に実行する場合に用いられる用紙を選択するため、前記単色キャリブレーション用の用紙として登録された紙種と前記混色キャリブレーション用の用紙として登録された紙種とに共通する紙種の用紙を選択可能な形態で表示させる表示手段を有することを特徴とする請求項１に記載の画像処理装置。
【請求項３】
前記登録された紙種についての情報を表示させる表示手段を有し、
前記表示手段は、前記単色キャリブレーション用の用紙として登録された紙種と前記混色キャリブレーション用の用紙として登録された紙種とに共通する紙種と前記単色キャリブレーション用の用紙として登録された紙種と前記混色キャリブレーション用の用紙として登録された紙種とに共通しない紙種とを区別して表示することを特徴とする請求項１に記載の画像処理装置。
【請求項４】
前記登録された紙種についての情報を表示させる表示手段を有し、
前記表示手段は、前記単色キャリブレーション用の用紙として登録された紙種と前記混色キャリブレーション用の用紙として登録された紙種とに共通する紙種でない紙種は、前記選択手段にて選択できないように表示させることを特徴とする請求項１に記載の画像処理装置。
【請求項５】
前記選択手段にて選択された紙種に属する用紙がいずれの給紙段にも格納されていない場合は、前記単色キャリブレーション用の用紙として登録された紙種と前記混色キャリブレーション用の用紙として登録された紙種とに共通する紙種に属する用紙をいずれかの給紙段に格納するよう通知する通知手段を有することを特徴とする請求項１に記載の画像処理装置。
【請求項６】
前記給紙段にて用紙の入れ替えがあった場合、入れ替えられた用紙が、前記単色キャリブレーション用の用紙として登録された紙種と前記混色キャリブレーション用の用紙として登録された紙種とに共通する紙種に属する用紙であるか否かを判断する判断手段を有することを特徴とする請求項５に記載の画像処理装置。
【請求項７】
前記画像形成手段により用紙に形成された定着後のパッチ画像を測色する測色手段を有し、該測色手段は用紙搬送路に設置されることを特徴とする請求項１に記載の画像処理装置。
【請求項８】
画像を形成する画像形成手段と、
単色キャリブレーション用の用紙として登録された紙種に前記画像形成手段により１種類のトナーを用いて形成される単色画像の色を、前記単色キャリブレーション用の用紙として登録された紙種に対応する目標値に近づけるように補正するための単色補正データを生成する単色キャリブレーションの実行と、混色キャリブレーション用の用紙として登録された紙種に前記画像形成手段により複数種類のトナーを用いて形成される混色画像の色を、前記混色キャリブレーション用の用紙として登録された紙種に対応する目標値に近づけるように補正するための混色補正データを生成する混色キャリブレーションの実行と、を制御する制御手段と、
前記単色キャリブレーション用の用紙として登録された紙種と前記混色キャリブレーション用の用紙として登録された紙種のうち、いずれか一方のみの紙種として登録されている紙種を表示させる表示手段と、を有し、
前記表示手段により表示された紙種が、前記単色キャリブレーションと前記混色キャリブレーションとを順に実行する場合に用いられる用紙の紙種として登録されるように、前記表示手段により表示されている画面を、紙種の登録を行うために表示される画面へ遷移することを特徴とする画像処理装置。
【請求項９】
画像を形成する画像形成ステップと、
単色キャリブレーション用の用紙として登録された紙種に前記画像形成ステップで１種類のトナーを用いて形成される単色画像を、前記単色キャリブレーション用の用紙として登録された紙種に対応する目標値に近づけるように補正するための単色補正データを生成する単色キャリブレーションの実行と、混色キャリブレーション用の用紙として登録された紙種に前記画像形成ステップで複数種類のトナーを用いて形成される混色画像を、前記混色キャリブレーション用の用紙として登録された紙種に対応する目標値に近づけるように補正するための混色補正データを生成する混色キャリブレーションの実行と、を制御する制御ステップと、
前記単色キャリブレーションと前記混色キャリブレーションとを順に実行するように指示を受けると、前記単色キャリブレーション用の用紙として登録された紙種と前記混色キャリブレーション用の用紙として登録された紙種とに共通する紙種を選択する選択ステップと、を有し、
前記選択ステップで選択された紙種に属する用紙を用いて前記制御ステップにより前記単色キャリブレーションと前記混色キャリブレーションとを順に実行することを特徴とする画像処理装置の制御方法。
【請求項１０】
画像を形成する画像形成ステップと、
単色キャリブレーション用の用紙として登録された紙種に前記画像形成ステップにて１種類のトナーを用いて形成される単色画像の色を、前記単色キャリブレーション用の用紙として登録された紙種に対応する目標値に近づけるように補正するための単色補正データを生成する単色キャリブレーションの実行と、混色キャリブレーション用の用紙として登録された紙種に前記画像形成ステップにて複数種類のトナーを用いて形成される混色画像の色を、前記混色キャリブレーション用の用紙として登録された紙種に対応する目標値に近づけるように補正するための混色補正データを生成する混色キャリブレーションの実行と、を制御する制御ステップと、
前記単色キャリブレーション用の用紙として登録された紙種と前記混色キャリブレーション用の用紙として登録された紙種とのうち、いずれか一方のみの紙種として登録されている紙種を表示させる表示ステップと、
前記表示ステップにて表示された紙種が、前記単色キャリブレーションと前記混色キャリブレーションとを順に実行する場合に用いられる用紙の紙種として登録されるように、前記表示ステップにて表示されている画面を、紙種の登録を行うために表示される画面へ遷移することを特徴とする画像処理装置の制御方法。
【請求項１１】
コンピュータに、請求項９乃至１０に記載の画像処理装置の制御方法を実行させるため
のプログラム。
【手続補正２】
【補正対象書類名】明細書
【補正対象項目名】００２２
【補正方法】変更
【補正の内容】
【００２２】
上記課題を解決すべく、本発明の画像処理装置は、画像を形成する画像形成手段と、単色キャリブレーション用の用紙として登録された紙種に前記画像形成手段により１種類のトナーを用いて形成される単色画像の色を、前記単色キャリブレーション用の用紙として登録された紙種に対応する目標値に近づけるように補正するための単色補正データを生成する単色キャリブレーションの実行と、混色キャリブレーション用の用紙として登録された紙種に前記画像形成手段により複数種類のトナーを用いて形成される混色画像の色を、前記混色キャリブレーション用の用紙として登録された紙種に対応する目標値に近づけるように補正するための混色補正データを生成する混色キャリブレーションの実行と、を制御する制御手段と、前記単色キャリブレーションと前記混色キャリブレーションとを順に実行するように指示を受けると、前記単色キャリブレーション用の用紙として登録された紙種と前記混色キャリブレーション用の用紙として登録された紙種とに共通する紙種を選択する選択手段と、を有し、  前記選択手段により選択された紙種に属する用紙を用いて前記制御手段により前記単色キャリブレーションと前記混色キャリブレーションとを順に実行することを特徴とする。